(57)【要約】【課題】内容物放出用ポンプ機構において、下流弁体の長期にわたる良好な弁作用の担保化を図ることを目的とする。【解決手段】下流弁体として、その全体が下流弁の開閉方向に移動しえる上方弁体５ａを用い、かつ、この上方弁体からなる上方弁部材５を、当該上方弁体が下ピストン３の弁座３ａに密接する下流弁閉状態の方向に、コイルスプリング９の弾性力で付勢した。当該下流弁体は、可動底板13ｆを備えたエアレス仕様のポンプ機構だけではなく、内容物の噴射に応じて外気を容器内部に導入する一般的なポンプ機構にも適用できる。【選択図】図１
2014240286.tif 000002
【特許請求の範囲】
【請求項１】
容器本体の内部シリンダの上流弁と下流弁との間の貯留空間域に収納された内容物が、外部空間に、操作ボタンの放出操作によりそれまでの閉状態から開状態に移行する下流弁を介して放出される内容物放出用ポンプ機構において、
前記下流弁の弁体は、
その全体が前記閉状態の位置と前記開状態の位置との間で移動し、かつ、当該閉状態の位置の方へ弾性部材で付勢された、弁部材である、
ことを特徴とする内容物放出用ポンプ機構。
【請求項２】
前記弾性部材は、
前記弁部材と、前記下流弁の弁座および当該弁座の下流側の内容物放出通路部を画定して前記操作ボタンと連動するピストン部材と、の間に配設されている、
ことを特徴とする請求項１記載の内容物放出用ポンプ機構。
【請求項３】
前記操作ボタンは、
上下方向スライド式で、少なくとも一対の指掛け操作部分を備えており、
前記容器本体は、
エアレスポンプ仕様の可動底板を備えている、
ことを特徴とする請求項１また２記載の内容物放出用ポンプ機構。
【請求項４】
前記上流弁の上流側に、
正倒立それぞれの使用時における容器本体内部から当該上流弁にいたるまでの内容物流路を選択的に設定するための流路設定機構を備えている、
ことを特徴とする請求項１また２記載の内容物放出用ポンプ機構。
【請求項５】
請求項１乃至４のいずれかに記載の内容物放出用ポンプ機構を備え、かつ、容器本体に内容物を収容した、
ことを特徴とするポンプ式製品。
【発明の詳細な説明】
【技術分野】
【０００１】
本発明は、容器本体の内部のシリンダに収納された内容物が、外部空間に、操作ボタンの放出操作によりそれまでの閉状態から開状態に移行する下流弁を介して放出される内容物放出用ポンプ機構に関する。
【０００２】
特に、下流弁の弁体全体がその閉状態の位置と開状態の位置との間で移動し、かつ、当該閉状態の位置の方へ弾性部材で付勢した内容物放出用ポンプ機構に関する。
【０００３】
本発明は正倒立使用の内容物放出用ポンプ機構も対象としている。
本明細書で記す「上」，「下」の語は、内容物放出用ポンプ機構の正立状態における上下を示している。
【０００４】
また、本明細書では、適宜、後述の貯留空間域Ｂのいわば出口に相当する下流弁のことを「上方弁」，「吐出弁」と記し、同じく入口に相当する上流弁のことを「下方弁」，「吸込弁」と記す。
【背景技術】
【０００５】
容器本体の内部のシリンダに収納された内容物が、外部空間に、操作ボタンの放出操作により放出されるポンプ機構は、利便性が高くて各種用途に広く使用され、いうまでもなく周知のものである（下記特許文献１参照）。
【０００６】
この種のポンプ機構は、容器本体内部に設けたシリンダの貯留空間域（次回放出対象内容物の貯留域）が、そのいわば入口側の上流弁（下方弁，吸込弁）と出口側の下流弁（上方弁，吐出弁）とによって画定される。
【０００７】
下流弁（弁体）には、シリンダ貯留空間域の内容物圧力を受けることにより自ら変形するゴム弁が用いられている。
【０００８】
このゴム弁（下流弁体）は、内容物放出操作により貯留空間域の内容物圧力が高くなると変形して、それまでの下流弁座との密接状態が解除される。すなわち、下流弁が開いて貯留空間域と内容物出力孔部とが連通する。
【先行技術文献】
【特許文献】
【０００９】
【特許文献１】実開平０７−０１３４５５号公報
【発明の開示】
【発明が解決しようとする課題】
【００１０】
このように従来の内容物放出用ポンプ機構は、下流弁としてゴム弁を用いている。
ゴム弁は、内容物放出操作時の貯留空間域の内容物圧力増加によりそれ自体が変形し、また、貯留空間域から外部空間への内容物放出に基づく内容物圧力減少により初期形状に復帰する。
【００１１】
下流弁体としてのゴム弁は、コストも安く、組立ても容易であるといった利点を備えている。
【００１２】
ただ、ゴム弁自体の変形作用および復帰作用によって下流弁の開閉動作をおこなっているため、ゴム弁の弾性劣化にともなう下流弁作用の低下といった点で改善の余地を残していた。
【００１３】
本発明は、下流弁体として、ゴム弁ではなく、その全体が下流弁の開閉方向に移動しえる弁部材を用い、かつ、この弁部材をコイルスプリングなどの弾性力で弁座との閉状態方向に付勢し、これにより下流弁体の長期にわたる良好な弁作用の担保化を図ることを目的とする。
【課題を解決するための手段】
【００１４】
本発明は、以上の課題を次のようにして解決する。
（１）容器本体（例えば後述の容器本体13，23）の内部シリンダ（例えば後述のシリンダ７，21，35）の上流弁と下流弁との間の貯留空間域（例えば後述の貯留空間域Ｂ）に収納された内容物が、外部空間に、操作ボタン（例えば後述の操作ボタン１，31）の放出操作によりそれまでの閉状態から開状態に移行する当該下流弁を介して放出される内容物放出用ポンプ機構において、
前記下流弁の弁体（例えば後述の上方弁体５ａ）として、
その全体が前記閉状態の位置と前記開状態の位置との間で移動し、かつ、当該閉状態の位置の方へ弾性部材（例えば後述の上側コイルスプリング９）で付勢された、
弁部材を用いる。
（２）上記（１）において、
前記弾性部材として、
前記弁部材と、前記下流弁の弁座（例えば後述の上向き環状段部３ａ）および当該弁座の下流側の内容物放出通路部（例えば後述の縦溝状部３ｃ，隣同士の内向き縦リブ状部２ｂ間の縦空間部）を画定して前記操作ボタンと連動するピストン部材（例えば後述の上ピストン２，下ピストン３）と、の間に配設された、
ものを用いる。
（３）上記（１），（２）において、
前記操作ボタンは、
上下方向スライド式で、少なくとも一対の指掛け操作部分（例えば後述の指掛け操作部分１ａ）を備えており、
前記容器本体として、
エアレスポンプ仕様の可動底板（例えば後述の可動底板13ｆ）を備えた、
ものを用いる。
（４）上記（１），（２）において、
前記上流弁の上流側に、
正倒立それぞれの使用時における容器本体内部（例えば後述の収容空間域Ａ）から当該上流弁にいたるまでの内容物流路を選択的に設定するための流路設定機構（例えば後述の流路画定用上ブッシュ36，流路画定用下ブッシュ37，中間ボール弁38，下ボール弁39，シリンダカバー40）を備えた、
ものを用いる。
【００１５】
本発明は、以上の特徴を持つ内容物放出用ポンプ機構を対象とするとともに、この内容物放出用ポンプ機構を備えたポンプ式製品も対象にしている。
【発明の効果】
【００１６】
本発明は、以上の構成をとることにより、下流弁体の長期にわたる良好な弁作用の担保化を図ることができる。
【図面の簡単な説明】
【００１７】
【図１】鼻腔などを内容物の放出対象部位とした上方噴射で，エアレス仕様の内容物放出用ポンプ機構の静止モード（上流弁，下流弁がともに閉）を示す説明図である。
【図２】図１の内容物放出用ポンプ機構のシリンダ周りを拡大した状態を示す説明図である。
【図３】図１のシリンダ回りの内容物放出状態（上流弁が閉，下流弁が開）を示す説明図である。
【図４】図１〜図３の柱状部材８の斜視状態を示す説明図である。
【図５】図１のエアレス仕様に代えて、汎用の吸上げパイプを用いた内容物放出用ポンプ機構の静止モードを示す説明図である。
【図６】前方噴射で、正倒立仕様の内容物放出用ポンプ機構の静止モードを示す説明図である。
【図７】図６の内容物放出用ポンプ機構（正立使用）の内容物放出操作解除にともなう貯留空間域Ｂへの内容物流入状態を示す説明図である。
【図８】図６の内容物放出用ポンプ機構（倒立使用）の内容物放出操作解除にともなう貯留空間域Ｂへの内容物流入状態を示す説明図である。
【発明を実施するための最良の形態】
【００１８】
図１乃至図８を用いて本発明を実施するための形態を説明する。
【００１９】
図１〜図４は上方噴射でエアレス仕様のポンプ機構を対象とし、図５は上方噴射で吸上げパイプ仕様のポンプ機構を対象とし、図６〜図８は前方噴射で正倒立仕様のポンプ機構を対象としている。
【００２０】
これら図１〜図８の各種仕様のポンプ機構に共通する基本的特徴は、
(11)上方弁（下流弁，吐出弁）の上方弁体５ａを、その全体が内容物放出操作に応じて上下動する上方弁部材５の形で構成し、
(12)上方弁体５ａを、上側コイルスプリング９の弾性作用で、上方弁座（下ピストン３の上向き環状段部３ａ）と密接する方向に付勢した、
ことである。
【００２１】
なお、以下のアルファベット付き参照番号が示す構成要素（例えば一対の指掛け操作部分１ａ）はアルファベットなしの参照番号の構成要素（例えば操作ボタン１）の一部であることを示している。
【００２２】
図１〜図６において、
１は点鼻用でエアレス仕様のポンプ式製品における上下方向スライド式の操作ボタン，
１ａは当該操作ボタンの外周面の周方向反対側の部分にいわば平行状態で形成された一対の指掛け操作部分，
１ｂは当該操作ボタンの上開口鞘状部分，
１ｃは上開口鞘状部分１ｂと孔部を介して連通する下開口鞘状部分，
１ｄは上開口鞘状部分１ｂに嵌合状態で取り付けられて、内容物通過用の上下方向溝状部を表面周方向の飛び飛びに複数備えた円柱状部，
１ｅは当該操作ボタンの上面部分に設定された上方向への出力孔部，
をそれぞれ示している。
【００２３】
また、
２は操作ボタン１の下開口鞘状部分１ｃに嵌合状態で取り付けられて当該操作ボタンと連動する筒状の上ピストン，
２ａは当該上ピストンの外周面下側の周方向に形成された上環凸状部，
２ｂは当該上ピストンの内周面の周方向飛び飛びにそれぞれ上下方向の態様で形成されて、その隣同士間の溝状部を内容物が通過する複数の内向き縦リブ状部，
をそれぞれ示している。
【００２４】
また、
３は上ピストン２の内向き縦リブ状部２ｂに係合状態で取り付けられて、当該上ピストンと連動する円柱状の下ピストン，
３ａは当該下ピストンの外周面下側に縦断面Ｌ字状の態様により形成されて、後述の上方弁体５ａとの間で下流弁，吐出弁（上方弁座）の作用を呈する上向き環状段部，
３ｂは上向き環状段部３ａの略直下の外周面に形成されたコイルスプリング受け用の下向き環状段部，
３ｃは下ピストン外周面の上向き環状段部３ａより上側部分の周方向飛び飛びにそれぞれ上下方向の態様で形成されて、その中を内容物が通過する複数の縦溝状部，
をそれぞれ示している。
【００２５】
また、
４は上ピストン２およびこれと一体の下ピストンの最上動位置を画定する環状のシリンダブッシュ，
４ａはこの最上動位置において上ピストン２の上環凸状部２ａを当接保持する環テーパ状面，
をそれぞれ示している。
【００２６】
また、
５は上ピストン２の下端側内周面に密接したシール状態で、その全体が下ピストン３に対し上下方向に移動して、当該下ピストンとの間で弁作用を呈する下広がり筒状の上方弁部材（下流弁，吐出弁），
５ａは当該上方弁部材の内周面下端側の縦断面Ｌ字状部分であって、上向き環状段部３ａとの間で吐出弁作用を呈する上方弁体，
５ｂは当該上方弁部材の外周面に形成されて、当該上方弁部材が上ピストン２に対し最上位置まで上動したときに当該上ピストンの下端面部分と当接する小径環状段部，
５ｃは小径環状段部４ｂの略直下の外周面部分に形成されたコイルスプリング受け用の大径環状段部，
５ｄは大径環状段部５ｃの外上側に形成されてシール作用を呈する逆スカート部，
５ｅは大径環状段部５ｃの外下側に形成されてシール作用を呈するスカート部，
をそれぞれ示している。
【００２７】
また、
６は後述の環状受け部７ａとの間で下方弁体として作用するボール弁（上流弁，吸込弁），
７は自らの上開口部にシリンダブッシュ４を係合固定し、かつ、上ピストン２（の下側部分），下ピストン３，上方弁部材５およびボール弁６などが内部空間に配設されて、次回の放出対象内容物を貯留するシリンダ，
７ａはシリンダ下端開口部の略直上の内周面部分に円錐面態様により形成されて、ボール弁６との間で弁作用を呈する環状受け部（下方弁座），
７ｂは当該シリンダの上開口側内周面に形成されてシリンダブッシュ４との係合作用を呈する環凸状部，
７ｃは当該シリンダの上外周面側に形成された環状鍔部，
７ｄは後述のエアー抜き（プライミング）用の中間環状段部，
をそれぞれ示している。
【００２８】
また、
８はボール弁６の略直上のシリンダ内部空間に組み込まれて、後述の貯留空間域Ｂの容量低減機能と当該ボール弁の押え機能とを併せ備えた柱状部材，
８ａは上述の容量低減機能を有する小径で中実または中空の円柱状部，
８ｂは円柱状部８ａの外周面の上下方向に形成された内容物通過用の凹状部分，
８ｃは円柱状部８ａの底面，
８ｄは円柱状部８ａの下側に続く大径部分で上述のボール弁押え機能および容量低減機能を有する筒状部，
８ｅは筒状部８ｄの上面であって凹状部分８ｂに続く範囲が欠落した態様のＣ形平面形状の段部，
８ｆは筒状部８ｄの周方向に等間隔で形成された内容物通過用の三個の縦方向溝部，
８ｇは縦方向溝部８ｆのそれぞれから筒状部中央に突出する態様で形成されたボール弁押え用の弾性片部，
８ｈは縦方向溝部８ｆ同士の間の内周面，
８ｊは弾性片部８ｇの上面と同じ高さの下端部分からなって凹状部分８ｂに続く態様で筒状部８ｄの周方向に形成された周面開口部，
をそれぞれ示している。
【００２９】
また、
９は上ピストン２の上環凸状部２ａ（の下面部分）と上方弁部材５の大径環状段部５ｃとの間に設けられて、当該上方弁部材を当該上ピストンに対し下方向へ付勢する、すなわち上方弁体５ａを、下ピストン３の上向き環状段部（上方弁座）３ｂとの当接状態へ付勢する上側コイルスプリング，
10は下ピストン３の下向き環状段部３ｂと柱状部材８の段部８ｅとの間に設けられて当該下ピストンおよび上ピストン２を上方向に付勢する、すなわち当該上ピストンと一体の操作ボタン１をその静止モード位置へ付勢する下側コイルスプリング，
11はシリンダ７の環状鍔部７ｃの底面部分に配設される環状シール部材，
をそれぞれ示している。
【００３０】
また、
12は最上位置の操作ボタン１から最下位置のボール弁６までの各構成要素を組み込んだシリンダ７と、環状シール部材11とを保持し、この保持状態でいわばポンプ機構ユニットを構成する筒状のネジキャップ，
12ａは当該ネジキャップの下開口側内周面に形成された内側螺子部分，
12ｂは当該ネジキャップの上側部分に形成されて、内容物放出操作時に操作ボタン１の外下側筒状部が入り込む環凹状部，
をそれぞれ示している。
【００３１】
また、
13は上開口で放出対象の内容物を収容した容器本体，
13ａは当該容器本体の上開口側筒状部（首部），
13ｂは上開口側筒状部13ａの外周面に形成されて、ネジキャップ12の内側螺子部分12ａとネジ結合する外側螺子部分， 
13ｃは容器本体胴部の外周面と嵌合した鞘状の底蓋，
13ｄは底蓋13ｃの底面部分に形成された空気流入用の孔部，
13ｅは底蓋13ｃの底面部分に形成された内側環状起立部，
13ｆは後述の収容空間域Ａにおける内容物の減少（圧力低下）に応じて上方向に移動する可動底板，
13ｇは可動底板13ｆに形成されて上端部分が容器本体胴部の内周面に密接する可動底板逆スカート部，
13ｈは可動底板13ｆに形成されて下端部分が容器本体胴部の内周面に密接する可動底板スカート部，
13ｊは内側環状起立部13ｅに当接して可動底板13ｆの最下位置を特定するための底面段部，
13ｋは当該容器本体のいわば天井部分に組み込まれて、可動底板13ｆがその最上位置まで移動したときに当該可動底板の環状上面部分と当接し、これによりエアレスポンプの収容内容物が原理上放出されない空間域を塞いでいる環状の天井調整部材，
をそれぞれ示している。
【００３２】
また、
Ａは容器本体内部であって、シリンダ（上流弁）にいたるまでの内容物の収容空間域，
Ｂはシリンダ内部であって、上流弁と下流弁との間に設定される次回放出対象内容物の貯留空間域，
をそれぞれ示している。
【００３３】
ここで、操作ボタン１，上ピストン２，下ピストン３，シリンダブッシュ４，上方弁部材５，シリンダ７，柱状部材８，ネジキャップ12および容器本体13などはナイロン，ポリアセタール，ポリエチレン，ポリプロピレン，ポリエチレンテレフタレート，ポリブエチレンテレフタレート，ＮＢＲ，ネオプレン，ブチルゴムなどからなる合成樹脂製のものである。
【００３４】
ボール弁６，上側コイルスプリング９および下側コイルスプリング10は合成樹脂製や金属製のものである。また、環状シール部材11は合成樹脂製やゴム製のものである。
【００３５】
図１〜図４のポンプ機構は、
(21)操作ボタン１，上ピストン２および下ピストン３の各構成要素は、全体として上下方向に連結（嵌合）したいわば単一部材の形に設定され、
(22)この単一部材，シリンダブッシュ４，上方弁部材５，ボール弁６，柱状部材８，上側コイルスプリング９および下側コイルスプリング10が、それぞれシリンダ７の内側に組み込まれ、
(23)この組込み後のシリンダ７と環状シール部材11とがネジキャップ12の内側に取り付けられ、
(24)この取付け後のネジキャップ12が容器本体13の上開口側筒状部13ａに螺合している。
【００３６】
図１および図２の静止モードのとき、
(31)操作ボタン１，上ピストン２および下ピストン３の単一部材は、下側コイルスプリング10の弾性力により上動して、当該上ピストンの上環凸状部２ａがシリンダブッシュ４の環テーパ状面４ａに当接した状態の最上位置で静止し、
(32)上方弁部材５は、上側コイルスプリング９の弾性力により（下ピストン３に対し相対的に）下動して、当該上方弁部材の上方弁体５ａが当該下ピストン３の上向き環状段部３ａに密接した上方弁閉状態の位置で静止し、
(33)ボール弁６は、弾性片部８ｇの弾性力により下動して、シリンダ７の環状受け部7ａに密接した下方弁閉状態の位置で静止している。
【００３７】
また、シリンダ内部の貯留空間域Ｂには、前回の内容物放出操作の終了に基づく上ピストン２および下ピストン３の上方への復帰動作にともなってボール弁６が開状態へシフトすることにより容器本体13の収容空間域Ａから流入した、内容物が貯留されている。これが次回の放出対象内容物となる。
【００３８】
図３の操作ボタン押下げ状態では、
(41)操作ボタン１と一体の上ピストン２が、上側コイルスプリング９の弾性力に抗する形で下動し、
(42)この上ピストン２の下動にともなう貯留空間域Ｂの容量減少により、当該貯留空間域における内容物の圧力が大きくなり、
(43)この内容物圧力の増加にともない、上方弁部材５が下側コイルスプリング10の弾性力に抗する形で下ピストン３の対して相対的に上動し、
(44)この上方弁部材５の相対的上動により、当該上方弁部材の上方弁体５ａが下ピストン３の上向き環状段部３ａから離間し、すなわち貯留空間域Ｂのいわば出口である上方弁がそれまでの閉状態から開状態へ移行し、
(45)下方弁（ボール弁６およびシリンダ７の環状受け部７ａ）は静止モードと同様に閉じている。
【００３９】
このように上方弁（上向き環状段部３ａおよび上方弁部材５）が開くことにより、外気よりも高い圧力状態の貯留空間域内容物が外部空間域に放出される。
【００４０】
貯留空間域内容物の放出径路は、概略、「貯留空間域Ｂ−開状態の上方弁−下ピストン３の縦溝状部３ｃ−上ピストン２の縦リブ状部２ｂ間の溝状部−上ピストン２の内部通路−操作ボタン１の内部通路−出力孔部１ｅ」である。
【００４１】
この内容物放出にともない貯留空間域Ｂの内容物圧力が減少して、上方弁部材５に作用する上方向への当該内容物圧力よりも「上方弁部材５が上側コイルスプリング９から受ける下方向への弾性力＋上方弁部材５の自重」の方が大きくなると、当該上方弁部材は下動する。
【００４２】
その結果、上方弁体５ａが下ピストン３の上向き環状段部３ａに密接し、上方弁はそれまでの開状態から閉状態へと移行する。すなわち貯留空間域Ｂの内容物の放出動作が終了する。
【００４３】
利用者が操作ボタン１の押下げ操作を解除すると、「操作ボタン１＋上ピストン２＋下ピストン３」の一体物は下側コイルスプリング10の弾性力で上方向に復帰する。このとき上方弁体５ａは上向き環状段部３ａに密接したままである。
【００４４】
そして、
(51)「操作ボタン１＋上ピストン２＋下ピストン３」の一体物が上方向に復帰するのに応じて、貯留空間域Ｂの容量が増加し、
(52)貯留空間域Ｂの容量増加にともない、そこでの圧力が容器本体13の収容空間域Ａの内容物圧力よりも小さくなり、
(53)その結果、ボール弁６が、柱状部材８の弾性片部８ｇの押え弾性力に抗しながら上方向に移動し、すなわち下方弁（ボール弁６＋シリンダ７の環状受け部７ａ）がそれまでの閉状態から開状態へとシフトし、
(54)下方弁の開状態へのシフトにより、容器本体13の収容空間域Ａの内容物が貯留空間域Ｂへと流入し、
(55)この貯留空間域Ｂへの流入内容物が、次回の操作ボタン１の押下げ操作時に出力孔部１ｅから外部空間域に放出される。
【００４５】
なお、上記(52)などを補足すると次のようになる。
上ピストン２および下ピストン３の復帰動作時の貯留空間域Ｂにおける内容物圧力の減少にともなって、ボール弁６への下方向合力（シリンダ７の貯留空間域Ｂからの下方向内容物圧力，ボール弁６の自重や三個の弾性片部８ｇの弾性付勢力など）が、当該ボール弁に対する収容空間域Ａからの上方向内容物圧力よりも小さくなる。
【００４６】
これによりボール弁６は、弾性片部８ｇの下方向への付勢力に抗しながら上方向に少し移動する。
【００４７】
このピストン復帰時の貯留空間域Ｂの減圧比は柱状部材８の存在容積分だけ（当該柱状部材を設けない場合よりも）高まるので、収容空間域Ａの内容物に対して当該貯留空間域への強い吸上げ力が作用する。
【００４８】
この強い吸上げ力により、容器本体13の収容空間域Ａの内容物は、「シリンダ７の下側開口部−縦方向溝部８ｆ−底面８ｃと弾性片部８ｇとの間の空間域（−周面開口部８ｊ）−凹状部分８ｂ」などの経路により、シリンダ７の貯留空間域Ｂに流入する。
【００４９】
この内容物流入により、ボール弁６への上述の下方向合力が上述の上方向圧力を超えた段階で、当該ボール弁が下方に確実に移動して環状受け部７ａと密接し、ポンプ機構は図１，図２の静止モードに復帰する。
【００５０】
なお、図１〜図４のポンプ式製品はいわゆる「エアレスポンプ」を用いたものであり、内容物放出動作により収容空間域Ａの内容物が減ってそこでの圧力が低下するのに応じて、当該収容空間域の構成要素でもある可動底板13ｆが上方向に移動していく。
【００５１】
これは、可動底板13ｆが、底蓋13ｃの孔部13ｄを介して外部空間と連通し、当該可動底板の下面部分が上方向への大気圧を受けるためである。
【００５２】
また、ボール弁６は、その横方向部分が筒状部８ｄの内周面８ｈに保持され、かつ三個の等間隔の弾性片部８ｇで環状受け部７ａの方に押えられている。
【００５３】
このようにボール弁６が弾性片部８ｇにより押さえ込まれているため、ポンプ式製品を倒立状態に設定しても当該ボール弁は環状受け部７ａとの密接状態に保持される。
【００５４】
なお、シリンダ７の中間環状段部７ｄを形成したのは、ポンプ式製品を最初に使うときの貯留空間域Ｂのエアー抜き（プライミング）のためである。
【００５５】
すなわち、ポンプ式製品の未使用段階のとき貯留空間域Ｂにはもっぱらエアーが入っている。このエアー貯留状態で、操作ボタン１を押し下げてもエアー容積が単に変化するにすぎず、上方弁部材５が上方向に移動して上方弁開放状態を設定するまでのエアー圧力の増加は生じにくい。
【００５６】
そこで、利用者が、未使用段階のポンプ式製品の操作ボタン１を上方弁閉状態のまま押し下げていくときに、上方弁部材５のスカート部５ｇがシリンダ７の中間環状段部７ｄに当接することにより、上方弁をいわば強制的に開状態に設定するようにしている。
【００５７】
上方弁が強制的に開かれることにより、貯留空間域Ｂに最初入っていたエアーは、この上方弁の離間部分から縦溝状部３ｃ，縦リブ状部２ｂ間の溝状部などを経て出力孔部１ｅから外部空間域へと確実に放出される。
【００５８】
そして利用者が操作ボタン１の押下げ操作を解除すると、下ピストン３などが下側コイルスプリング10の弾性力により上動して、貯留空間域Ｂの圧力が減少する。
【００５９】
この貯留空間域Ｂの圧力減少にともない、もともと収容空間域Ａから上方向への内容物圧力を受けていたボール弁６がシリンダ７の環状受け部７ａから離間する。
【００６０】
この離間により、容器本体13の収容空間域Ａの内容物がシリンダ７の貯留空間域Ｂに流入して、図示のポンプ機構は図１の静止モードに設定される。
【００６１】
図４で明示されるように、柱状部材８は、その全体でシリンダ内部の貯留空間域Ｂの容量を低減する機能と、その筒状部８ｄの弾性片部８ｇでボール弁６を下方向に付勢するとともに当該筒状部の飛び飛びの内周面８ｈでボール弁６の左右方向（当該筒状部の径方向）への移動を規制する機能と、を併せ備えた一体成形の単一部材である。
【００６２】
ボール弁６が弾性片部８ｇの付勢力に抗しながら少し移動して当該ボール弁が開くと、容器本体内部の収容空間域Ａの内容物は三箇所の縦方向溝部８ｆなどを経てシリンダ内部に流入する。
【００６３】
なお、周面開口部８ｊは、円柱状部８ａの底面８ｃと三箇所の縦方向溝部８ｆとの間の空間域を設定するために用いた金型のいわば抜き口といえるが、縦方向溝部８ｆなどから入ってきた内容物の通路域としても作用する。
【００６４】
容器本体13に取り付ける前のいわばポンプユニット（上ピストン２，下ピストン３，シリンダブッシュ４，上方弁部材５，ボール弁６，シリンダ７，柱状部材８，上側コイルスプリング９，下側コイルスプリング10，環状シール部材11，ネジキャップ12）の組立手順は、例えば次のようになる。
【００６５】
(61)下ピストン３の上方から上方弁部材５と上側コイルスプリング９とを順に通してから、上ピストン２に取り付けてピストンユニットとし、
(62)シリンダ７の上方開口部から、環状受け部７ａにボール弁６を置き、これを押さえるように柱状部材８を取り付け、
(63)このシリンダ７の上方開口部から、下側コイルスプリング10および当該ピストンユニットを順に差し込み、シリンダブッシュ４を上方から当該ピストンユニットに通して当該シリンダの上方開口部に嵌合させ、
(64)ネジキャップ12の中央孔部に上ピストン２を通して、当該ネジキャップをシリンダ７に取り付け、
(65)シリンダ７の下方から環状シール部材11を環状鍔部７ｃに当接するように取り付ける。
【００６６】
図５はエアレス仕様のポンプ機構ではなく、シリンダの下端側筒状部に取り付けた吸上げチューブを介して容器本体内容物がシリンダへ送られるタイプのポンプ機構の静止モードを示している。
【００６７】
ここで新たに用いる参照番号は以下の21〜24である。その他の参照番号は図１〜図４と同じ番号を適宜用いている。
【００６８】
図５において、
21は自らの上開口部にシリンダブッシュ４を係合固定し、かつ、上ピストン２（の下側部分），下ピストン３，上方弁部材５およびボール弁６などが内部空間に配設されて、次回の放出対象内容物を貯留するシリンダ，
21ａはシリンダ下端開口部の略直上の内周面部分に円錐面態様により形成されて、ボール弁６との間で弁作用を呈する環状受け部（下方弁座），
21ｂは当該シリンダの上開口側内周面に形成されてシリンダブッシュ４との係合作用を呈する環凸状部，
21ｃは当該シリンダの上外周面側に形成された環状鍔部，
21ｄは環状受け部21ａの直上内周面の周方向に形成されたコイルスプリング受け用の環状テーパ部，
21ｅはシリンダ下端側に形成された吸上げパイプ取付け用の下端側筒状部，
21ｆは環状シール部材11の略直下のシリンダ周面に形成されて、外部空間域への内容物放出にともなう収容空間域Ａの減圧を防止するための外気導入用孔部，
21ｇはエアー抜き（プライミング）用の中間環状段部，
をそれぞれ示している。
【００６９】
また、
22は下ピストン３の下向き環状段部３ｂとシリンダ21の環状テーパ部21ｄとの間に設けられて当該下ピストンおよび上ピストン２を上方向に付勢し、かつ、自らの下端部分でボール弁６の上動を規制する下側コイルスプリング，
23は上開口の固定底タイプで放出対象の内容物を収容した汎用の容器本体，
23ａは当該容器本体の上開口側筒状部（首部），
23ｂは上開口側筒状部33ａの外周面に形成されて、ネジキャップ12の内側螺子部分12ａとネジ結合する外側螺子部分，
24はシリンダ27の下端側筒状部27ｅに取り付けられた吸上げパイプ，
をそれぞれ示している。
【００７０】
ここで、シリンダ21，容器本体23および吸上げパイプ24は、ナイロン，ポリアセタール，ポリエチレン，ポリプロピレン，ポリエチレンテレフタレート，ポリブエチレンテレフタレート，ＮＢＲ，ネオプレン，ブチルゴムなどの合成樹脂製のものである。また、下側コイルスプリング22は金属製や合成樹脂製のものである。
【００７１】
図５の内容物放出用ポンプ機構が、図１〜図３のそれと異なっているのは、概略、
(71)シリンダ21が、下側コイルスプリング22の下端側を受ける環状テーパ部21ｄ，吸上げパイプ取付け用の下端側筒状部21ｅ、および外気導入用孔部21ｆを備え、
(72)ボール弁６が、その上方への移動を、下側コイルスプリング22の下端部分で規制され、
(73)吸上げパイプ24が、シリンダ21の下端側筒状部21ｅに係合固定され、
(74)容器本体23が、固定底面部分を備えて、その外周端部分に吸上げパイプ24の流入開口部が位置している、
ことなどである。
【００７２】
操作ボタン１の押下げ操作に基づいて貯留空間域Ｂの内容物が出力孔部１ｅから外部空間に放出される動作や、当該押下げ操作の解除にともない容器本体23の収容空間域Ａの内容物が貯留空間域Ｂに流入する動作、また、ポンプユニットの組立て手順などは、図１〜図３のそれと同様である。
【００７３】
図６は正倒立使用タイプのポンプ機構の正立静止モード、図７は正立状態で内容物放出操作を解除したとき、図８は倒立状態で内容物放出操作を解除したときをそれぞれ示している。
【００７４】
ここで新たに用いる参照番号は以下の31〜41である。その他の参照番号は図１〜図５と同じ番号を適宜用いている。
【００７５】
図６〜図８において、
31は上ピストン２に取り付けられて上下方向に移動可能な操作ボタン，
31ａは当該操作ボタンの内部に形成された内容物通路部，
31ｂは内容物通路部31ａの出力側に取り付けられた前方放出用のノズル，
をそれぞれ示している。
【００７６】
また、
32は上ピストン２およびこれと一体の下ピストン３の最上動位置を画定する鍔状部付きでシリンダブッシュ，
32ａは当該シリンダブッシュの下端側に形成された鍔状部，
33はシリンダブッシュ32の天井面に係合した状態の環状シール部材，
をそれぞれ示している。
【００７７】
また、
34はボール弁６と同様の弁作用を呈する正倒立共用の上ボール弁（正倒立共用弁体），
35はシリンダブッシュ32に嵌合固定され、かつ、上ピストン２（の下側部分），下ピストン３，上方弁部材５および上ボール弁34などが内部空間に配設されて、次回の放出対象内容物を貯留するシリンダ，
35ａはシリンダ下端側の内周面部分に円錐面態様により形成されて、上ボール弁34との間で弁作用を呈する第１の環テーパ状受け部（正倒立共用弁座），
35ｂは当該シリンダの上外周面に形成されて、シリンダブッシュ32の鍔状部32ａの外端面下部分と嵌合する環状鍔部，
35ｃは環状鍔部35ｂの上面に形成されてシリンダブッシュ32の鍔状部32ａとの嵌合作用を呈する環凸状部，
35ｄは環テーパ状受け部35ａの直上内周面の周方向に形成されたコイルスプリング受け用の環状段部，
35ｅはシリンダ下端側に形成されて内周面部分に後述の流路画定用上ブッシュ36を嵌合させるための下端側筒状部，
35ｆは環状シール部材11の略直下のシリンダ周面に形成されて、外部空間域への内容物放出にともなう収容空間域Ａの減圧を防止するための外気導入用孔部，
35ｇはエアー抜き（プライミング）用の中間環状段部，
をそれぞれ示している。
【００７８】
また、
36はシリンダ35の下端側筒状部35ｅに嵌合して、正立時および倒立時それぞれの貯留空間域Ｂにいたる内容物の共通上通路、および倒立使用時の内容物の流入通路を設定する流路画定用上ブッシュ，
36ａは下端側筒状部35ｅに嵌合状態で取り付けられ、当該共通上通路の下流側部分として作用する上内側筒状部，
36ｂは上内側筒状部36ａの上流側に続く逆Ｌ字状縦断面で当該共通上通路の上流側部分として作用する凹状部，
36ｃは外周面の上下方向溝状部と、これに続く下流側で逆Ｌ字状縦断面とからなり、上記倒立使用時の内容物の流入通路として作用する貫通部，
36ｄは貫通部36ｃの下開口部に形成された下端側筒状部，
36ｅは下端側筒状部36ｄの開口内周面部分に逆円錐面態様により形成されて、後述の中間ボール弁38との間で弁作用を呈する第２の環テーパ状受け部（倒立時用上方弁座），
をそれぞれ示している。
【００７９】
また、
37は流路画定用上ブッシュ36の下端側筒状部36ｄに嵌合して、正立時および倒立時それぞれの、前記共通上通路へと続く共通下通路およびその上流側個々の内容物の通路部を設定する筒状の流路画定用下ブッシュ，
37ａは当該流路画定用下ブッシュの外周面上下方向に形成され、上記共通下通路として作用する縦溝状部，
37ｂは倒立使用時の流路画定用上ブッシュ36の貫通部36ｃに続く内容物通路部として作用する上側筒状部，
37ｃは上側筒状部37ｂの下端側内周面部分に円錐面態様により形成されて、後述の中間ボール弁38との間で弁作用を呈する第３の環テーパ状受け部（正立時用弁座）
37ｄは正立使用時の内容物流入部として作用する下側筒状部，
37ｅは下側筒状部37ｄの上端側内周面部分に逆円錐面態様により形成されて、後述の下ボール弁39との間で弁作用を呈する第４の環テーパ状受け部（倒立時用下方弁座）
37ｆは筒状の第３，第４の環テーパ状受け部37ｃ，37ｅの略境界部分に複数形成されて、当該流路画定用下ブッシュｂの内外を連通させる、すなわち上側筒状部37ｂおよび
下側筒状部37ｄのそれぞれを、縦溝状部37ａ、その先の流路画定用上ブッシュ36の凹状部36ｂおよび上内側筒状部36ａに連通させる孔部，
をそれぞれ示している。
【００８０】
また、
38は流路画定用下ブッシュ37の第３の環テーパ状受け部37ｃとの間で弁作用を呈する中間ボール弁（正立用弁体），
39は流路画定用下ブッシュ37の第４の環テーパ状受け部37ｅとの間で弁作用を呈する下ボール弁（倒立用弁体），
をそれぞれ示している。
【００８１】
また、
40は流路画定用下ブッシュ37（下側筒状部37ｄ）の外周面に嵌合して、その内部に、シリンダ35の下側部分，流路画定用上ブッシュ36，流路画定用下ブッシュ37，上ボール弁34，中間ボール弁38および下ボール弁39などを収容したシリンダカバー，
40ａは当該シリンダカバーの上端側内周面の上下方向に形成されて、それぞれ内容物流入部として作動する複数の縦溝状部，
40ｂは当該シリンダカバーの下側内周面に形成されて、流路画定用下ブッシュ37の下端面と当接する環状段部，
40ｃは環状段部40ｂの直下のシリンダカバー内周面に複数形成されて、正立使用時の下ボール弁39を保持し、かつ、それぞれの隣同士のいわば隙間部分を内容物が通過する内向きリブ状部，
40ｄは吸上げパイプ24が取り付けられる下端側筒状部，
をそれぞれ示している。
【００８２】
また、
41は最上位置の操作ボタン31から最下位置の吸上げパイプ24までの各構成要素を組み込んだシリンダ35およびシリンダカバー40と、環状シール部材11とを保持し、この保持状態でいわばポンプ機構ユニットを構成する筒状のネジキャップ，
41ａは当該ネジキャップの下開口側内周面に形成された内側螺子部分，
41ｂは当該ネジキャップの上側部分に形成されて、内容物放出操作時に操作ボタン31の外側筒状部を案内する環状起立部，
をそれぞれ示している。
【００８３】
ここで、操作ボタン31，シリンダブッシュ32，シリンダ35，流路画定用上ブッシュ36，流路画定用下ブッシュ37，シリンダカバー40およびネジキャップ41はナイロン，ポリアセタール，ポリエチレン，ポリプロピレン，ポリエチレンテレフタレート，ポリブエチレンテレフタレート，ＮＢＲ，ネオプレン，ブチルゴムなどの合成樹脂製のものである。
【００８４】
上ボール弁34，中間ボール弁38および下ボール弁39は合成樹脂製や金属製のものである。また、環状シール部材33は合成樹脂製やゴム製のものである。
【００８５】
図６〜図８の正倒立仕様の内容物放出用ポンプ機構が、図１〜図５のそれと異なっているのは、概略、
(81)正立使用および倒立使用のそれぞれにおける内容物放出操作解除にともなう貯留空間域Ｂへの内容物流入径路を設定する（図７，図８参照）ための構成要素として、流路画定用上ブッシュ36，流路画定用下ブッシュ37，中間ボール弁38，下ボール弁39およびシリンダカバー40などを設け、
(82)操作ボタン31が、押圧操作部としての天面部分および前方放出用のノズル31ｂを備え、
(83)シリンダブッシュ32が、その天井面に環状シール部材33を係合固定し、
(84)シリンダ35が、シリンダブッシュ32と嵌合する環状鍔部35ｂを備え、
(85)容器本体23が、固定底面部分を備えて、その外周端部分に吸上げパイプ24の流入開口部が位置している、
ことなどである。
【００８６】
正立使用および倒立使用それぞれにおける操作ボタン31の押下げ操作に基づいて、貯留空間域Ｂの内容物がノズル31ｂから外部空間に放出される動作は、図１〜図５のそれと同様である。
【００８７】
押下げ操作の解除にともない容器本体23の収容空間域Ａの内容物が貯留空間域Ｂに流入する径路などは、勿論、図１〜図５のそれと異なっている。
【００８８】
正立状態での収容空間域Ａから貯留空間域Ｂへの内容物流入径路は、図７の矢印で示すように、「吸上げパイプ24−隣同士の内向きリブ状部40ｃ間の溝状部（シリンダカバー40）−孔部37ｆ−縦溝状部37ａ−凹状部36ｂ」となる。
【００８９】
このとき、下流弁は閉じ、上流弁（上ボール弁34）は開き、中間ボール弁38は流路画定用下ブッシュ37の環テーパ状受け部37ｃに当接している。
【００９０】
また、倒立状態での収容空間域Ａから貯留空間域Ｂへの内容物流入径路は、図８の矢印で示すように、「シリンダカバー40の縦溝状部40ａ−流路画定用上ブッシュ36の貫通部36ｃ−流路画定用上ブッシュ36の下端側筒状部36ｄ−流路画定用下ブッシュ37の上内部空間−孔部37ｆ−縦溝状部37ａ−凹状部36ｂ」となる。
【００９１】
このとき、下流弁は閉じ、上流弁（上ボール弁34）は開き、中間ボール弁38は内容物圧力により流路画定用下ブッシュ37の第３の環テーパ状受け部37ｃから離間し、下ボール弁39は流路画定用下ブッシュ37の第４の環テーパ状受け部37ｅに当接している。
【００９２】
図７，図８それぞれの矢印で示される貯留空間域Ｂへの内容物流入径路の中、その下流側でシリンダ35にいたるまでの「孔部37ｆ−縦溝状部37ａ−凹状部36ｂ」の部分が、正立状態および倒立状態の何れにおいても作動するいわば共用通路といえる。
【００９３】
この共用通路の上流側の「吸上げパイプ24−隣同士の内向きリブ状部40ｃ間の溝状部（シリンダカバー40）」が、貯留空間域Ｂへの正立時専用流入通路となる（図７参照）。
【００９４】
また、同じく上流側の「シリンダカバー40の縦溝状部40ａ−流路画定用上ブッシュ36の貫通部36ｃ−流路画定用上ブッシュ36の下端側筒状部36ｄ−流路画定用下ブッシュ37の上内部空間」が、貯留空間域Ｂへの倒立時専用流入通路となる（図８参照）。
【００９５】
容器本体23に取り付ける前のいわばポンプユニット
（上ピストン２，下ピストン３，上方弁部材５，上側コイルスプリング９，環状シール部材11，下側コイルスプリング22，シリンダブッシュ32，環状シール部材33，上ボール弁34，シリンダ35，流路画定用上ブッシュ36，流路画定用下ブッシュ37，中間ボール弁38，下ボール弁39，シリンダカバー40，ネジキャップ41）の組立手順は、例えば次のようになる。
【００９６】
(91)下ピストン３の上方から上方弁部材５と上側コイルスプリング９とを順に通してから、上ピストン２に取り付けてピストンユニットとし、
(92)シリンダ35の上方開口部から、環テーパ状受け部35ａに上ボール弁34を置いて、下側コイルスプリング22および当該ピストンユニットを順に差し込み、
(93)シリンダブッシュ32の内部に環状シール部材33を取り付けたものを、当該ピストンユニットに通してシリンダ35の上方開口部にかぶせて嵌合させ、
(94)ネジキャップ41の中央孔部にシリンダブッシュ32を通して、当該ネジキャップをシリンダ35に取り付け、
(95)シリンダ35の下方から環状シール部材11を環状鍔部35ｂに当接するように取り付け、
(96)次に、環テーパ状受け部37cに中間ボール弁38を置いた流路画定用下ブッシュ37と流路画定用上ブッシュ36とを嵌合させ、これを内向きリブ状部40ｃに下ボール弁39を置いたシリンダカバー40の上方から挿入嵌合して一体化し、これを、シリンダ35の下端側筒状部35ｅに取り付ける。
【００９７】
容器内容物の対象としては、液状，発泡性（泡状），ペースト状，ジェル状，粉状などの各種性状のものがある。
【００９８】
本発明が適用されるポンプ式製品としては、点鼻薬剤，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００９９】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【０１００】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【０１０１】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【０１０２】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【０１０３】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【０１０４】
高分子化合物としては、メチルセルロース，ゼラチン，デンプン，カゼイン，ヒドロキシエチルセルロース，キサンタンガム，カルボキシビニルポリマーなどを用いる。
【０１０５】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【０１０６】
さらに、上記内容物以外の、懸濁剤，紫外線吸収剤，乳化剤，保湿剤，酸化防止剤、金属イオン封鎖剤なども用いることができる。
【符号の説明】
【０１０７】
１：操作ボタン
１ａ：一対の指掛け操作部分
１ｂ：上開口鞘状部分
１ｃ：下開口鞘状部分
１ｄ：円柱状部
１ｅ：出力孔部
２：上ピストン
２ａ：上環凸状部
２ｂ：複数の内向き縦リブ状部
３：円柱状の下ピストン
３ａ：上向き環状段部
３ｂ：下向き環状段部
３ｃ：複数の縦溝状部
４：環状のシリンダブッシュ
４ａ：環テーパ状面
５：下広がり筒状の上方弁部材（下流弁，吐出弁）
５ａ：上方弁体
５ｂ：小径環状段部
５ｃ：大径環状段部
５ｄ：逆スカート部
５ｅ：スカート部
６：ボール弁（上流弁，吸込弁），
７：シリンダ
７ａ：環状受け部（下方弁座）
７ｂ：環凸状部
７ｃ：環状鍔部
７ｄ：中間環状段部
８：柱状部材（スペース調整作用部）
８ａ：中実または中空の円柱状部
８ｂ：凹状部分
８ｃ：底面
８ｄ：筒状部
８ｅ：Ｃ形平面形状の段部
８ｆ：三個の縦方向溝部
８ｇ：ボール弁押え用の弾性片部
８ｈ：内周面
８ｊ：周面開口部
９：上側コイルスプリング
10：下側コイルスプリング
11：環状シール部材
12：ネジキャップ
12ａ：内側螺子部分
12ｂ：環凹状部
13：容器本体
13ａ：上開口側筒状部（首部）
13ｂ：外側螺子部分 
13ｃ：鞘状の底蓋
13ｄ：空気流入用の孔部
13ｅ：内側環状起立部
13ｆ：可動底板
13ｇ：可動底板逆スカート部
13ｈ：可動底板スカート部
13ｊ：底面段部
13ｋ：天井調整部材
Ａ：内容物の収容空間域
Ｂ：次回放出対象内容物の貯留空間域
【０１０８】
（図５のみで使用）
21：シリンダ
21ａ：環状受け部（下方弁座）
21ｂ：環凸状部
21ｃ：環鍔状部
21ｄ：環状段部
21ｅ：下端側筒状部
21ｆ：外気導入用孔部
21ｇ：中間環状段部
22：下側コイルスプリング
23：容器本体
23ａ：上開口側筒状部（首部）
23ｂ：外側螺子部分
24：吸上げパイプ
【０１０９】
（図６〜図８のみで使用）
31：操作ボタン
31ａ：内容物通路部
31ｂ：ノズル
32：シリンダブッシュ
32ａ：鍔状部
33：環状シール部材
34：上ボール弁（正倒立共用弁体）
35：シリンダ
35ａ：第１の環テーパ状受け部（正倒立共用弁座）
35ｂ：環状鍔部
35ｃ：環凸状部
35ｄ：環状段部
35ｅ：下端側筒状部
35ｆ：外気導入用孔部
35ｇ：中間環状段部
36：流路画定用上ブッシュ，
36ａ：上内側筒状部
36ｂ：凹状部
36ｃ：貫通部
36ｄ：下端側筒状部
36ｅ：第２の環テーパ状受け部（倒立時用上方弁座）
37：筒状の流路画定用下ブッシュ
37ａ：縦溝状部
37ｂ：上側筒状部
37ｃ：第３の環テーパ状受け部（正立時用弁座）
37ｄ：下側筒状部
37ｅ：第４の環テーパ状受け部（倒立時用下方弁座）
37ｆ：孔部
38：中間ボール弁（正立用弁体）
39：下ボール弁（倒立用弁体）
40：シリンダカバー
40ａ：複数の縦溝状部
40ｂ：環状段部
40ｃ：内向きリブ状部
40ｄ：下端側筒状部
41：ネジキャップ
41ａ：内側螺子部分
41ｂ：環状起立部
【図１】
2014240286.tif 000003
【図２】
2014240286.tif 000004
【図３】
2014240286.tif 000005
【図４】
2014240286.tif 000006
【図５】
2014240286.tif 000007
【図６】
2014240286.tif 000008
【図７】
2014240286.tif 000009
【図８】
2014240286.tif 000010